(57)【特許請求の範囲】
【請求項１】
日本語の片仮名（カタカナ）または平仮名（ひらがな）の全体１４６個の文字を少数の記号で表示する日本語文字入力方法であり、
（１）  採用する記号は、次の表に示される７種類の線分と２種類の円と１種類の点を含む総数１０個であり、その中から（２）に示す５個を選んで母音記号とし、又、（３）に示す５個を選んで子音記号で作る要素記号にし、
0005565491.tif 000026
（２）  母音記号は、独立して使われる場合″あ、い、う、え、お″の発音記号でもあり、５個の線分を次の表のように対応付けて、
0005565491.tif 000027
（３）  子音記号は″か列、さ列、た列、な列、は列、ま列、や列、ら列、わ列″の９個が必要なので、次の図のような５個の直線線分からなる図を採用して左、上、右斜、左斜、下の順に
0005565491.tif 000028
という線分の番号を付けて、隣り合う２個ずつの線分を番号順に結んで９個の子音列記号を作り、
0005565491.tif 000029
（４）  上記子音記号に上記母音記号を付けて入力することを特徴にする日本語文字入力方法。
【請求項２】
上記日本語文字入力方法は、
まず片仮名なのか平仮名なのかを選択して、子音記号を入力した後にその右側に母音記号を付けて、
″ん″字の記号は独立して″０″を文字記号とし、
濁音文字記号又は半濁音文字記号はそれぞれ清音文字記号の右側に記号″・″又は″記号″°″を付加することを特徴にする請求項１に記載の日本語文字入力方法。
【発明の詳細な説明】
【技術分野】
【０００１】
本発明は日本語の片仮名（カタカナ）と平仮名（ひらがな）を少数の簡単な記号で表示する方法に関する。
【０００２】
現在、日本語の片仮名と平仮名の文字は全部合せて１４６個があり、IT器機や電子機器の文字板(keyboard)には４５個の文字と２個の記号（濁音記号と半濁音記号）が配列されている。
【０００３】
本発明はこのように模様が全然異なり個数が多い日本語文字を少数の簡単な記号で表示してこれを入力する方法を考案したことである。
【背景技術】
【０００４】
現在、日本のIT機器や電子機器の文字板(keyboard)には図1のように、４５個の平仮名と濁音及び半濁音記号と片仮名〜平仮名切換ボタンで総数１４６個の日本語文字を入力するようになっているのに、文字一つ一つがお互いに違って憶えにくいうえ、個数もあまりにも多くて、日本国内は勿論国際的な情報交換が非常に難しい。
【発明の概要】
【発明が解決しようとする課題】
【０００５】
これらの難しさに比べて、日本語は母音が５個しか無く、子音要素が９個しか無い極めて簡単な構造になっているので発音文字の記号化が容易である。
【０００６】
このような利点を生かし、小数の最も簡単な記号で世界で一番易しい発音文字記号を作る方法を考案した。
【課題を解決するための手段】
【０００７】
本発明による日本語文字板の日本語入力方法は、平仮名（ひらがな）または片仮名（カタカナ）の入力において、各々方向が異なる５個の直線線分を組み合わせて子音を入力して、５個の記号キーを用いて母音を入力するようになっている。
【０００８】
ここで、上記の子音を入力する５個の直線線分は左、上、右斜、左斜、下の順序に成り立って、直線を組み合わせて入力する方式はマウスのドラッグ動作またはキーパッドの数字キーを組み合わせて入力することができる。
【０００９】
上記の母音を入力する５個の記号キーは各々″あいうえお″の順序で″＜、｜、＼、／、＞″を打って入力することができるし、または濁音記号は″・″を、半濁音記号は″°″を用いて清音文字記号の右側に付けるようにして、″ん″字に対応する記号は″Ｏ″記号を使用する。
【発明の効果】
【００１０】
実験結果の例：最初に提示した直線線分を中心とした１０個の記号を用いた方法に試験した結果、次のような成績を得た。
【００１１】
（１）試験対象：IQ１２０程度の小学校６年生、中学校２年生、高校２年生、大学２年生、３５歳の主婦
【００１２】
（２）試験方法：１０分間の説明後、５分間の質問に応答し、図８で示した文句″おくのほそみちもぢがいつぱい″を記号化するのに要する時間を測定した結果、仮名文字と記号間の関係を理解するのに大部分の時間が消費されたが、その後の所要時間は予想より早かった。
【００１３】
（３）試験結果：小学校６年生２３分（打字所要時間：わずか４８秒）、中学校２年生１８分（打字所要時間：２３秒）、高校２年生１６分（打字所要時間：意外にも１４秒）、大学２年生１９分（打字所要時間：１７秒）、３５歳の主婦３０分（打字所要時間：５９秒）
【００１４】
従って、このような結果から判断して見るとき、本発明のような日本語入力方法は従来の入力方式より非常に効果的という結論である。
なお、図１８及び１９に示される練習用例題を用いて、実験してもよい。
【図面の簡単な説明】
【００１５】
【図１】現在使用中の日本語キーボードの文字板である。
【図２】文字記号の作成のための基本要素記号を示したことである。
【図３】母音記号表である。
【図４】子音記号の作成のための５個の直線線分を示したことである。
【図５】子音要素の記号を示したことである。
【図６】子音列記号を示したことである。
【図７】平仮名全体の記号を示したことである。
【図８】文字と記号の例を示したことである。
【図９】１３個の記号による文字記号を示したことである。
【図１０】文字列の最初文字と５個の数字を併用して仮名文字を構成したことである。
【図１１】母音文字と母音記号を示したことである。
【図１２】子音文字と子音記号を示したことである。
【図１３】″あ″列を入れた１０列全体の文字と記号を示したことである。
【図１４】子音記号の仮名一部を用いた方法を示したことである。
【図１５】直線線分中心の記号配列の例を示したことである。
【図１６】数字番号中心の記号配列の例を示したことである。
【図１７】仮名文字一部と記号の併用配列の例を示したことである。
【図１８】練習用例題の一例である。
【図１９】練習用例題の一例である。
【発明を実施するための形態】
【００１６】
以下、添付された図面を参照して本発明に対して詳細に説明する。
【００１７】
まず、基本要素記号として図２のような簡単な１０個の記号を選び、文字記号を作る方法を表示する。
【００１８】
I。 母音記号と子音記号及び濁音と半濁音記号
I−１。 母音記号とその選定方法
日本語の母音は前述したように５個であり、その発音文字は″あいうえお″または″アイウエオ″である。
この５つの発音文字に対応する記号は図３のように図２から５個を選ぶ。
【００１９】
I−２。 子音記号の作成法
子音記号の作成法に対して図４を参照して説明する。
【００２０】
５個の直線線分から成る図４において、左、上、右斜、左斜、下の順に各線分に
0005565491.tif 000002
という番号を付け、番号順に隣り合う２個ずつの線分を連結すれば９個の記号になる。
【００２１】
日本語の仮名文字は″あ、か、さ、た、な、は、ま、や、ら、わ″の１０列から成るのに、母音の″あ″列を除けば子音列は″か、さ、た、な、は、ま、や、ら、わ″の９個の記号を用いる。
【００２２】
即ち、図４の各線分を分離すれば子音要素記号は図５のような5個の直線線分で表示されて、９個の子音列記号は図６のようになる。
【００２３】
なお、上記の線分を入力する方法はマウスのドラッグ動作の順序を用いて入力する方法や、またはキーパッドの数字キーを用いる方法を挙げることができる。
【００２４】
キーパッドの例えば図６の
0005565491.tif 000003
の入力はキーパッド数字１、７、９の順に入力して表現できるし、
0005565491.tif 000004
の入力はキーパッドの数字１、７、３の順に、
0005565491.tif 000005
の入力はキーパッドの数字７、１、９の順に、
0005565491.tif 000006
の入力はキーパッドの数字７、１、３の順とする方法から入力することが可能である。
【００２５】
I−３。 濁音記号と半濁音記号及び″ん″字記号
日本語仮名の″か″列、″さ″列、″た″列、″は″列には各々濁音字列が有り、また″は″列には濁音外に半濁音字列が有る。
【００２６】
これらに対しては、図２の８番目の記号″・″を濁音記号にし、９番目の記号″°″を半濁音記号にして清音文字記号の右側に付ける。
【００２７】
そして、″ん″字に対応する記号は図２の０番目記号″O″を用いる。
【００２８】
II。 仮名文字記号の作成法
以上のように、母音記号、子音記号、濁音記号、半濁音記号及び″ん″字記号ができ上がってから、これらを組み合せて日本語の仮名全部の各々の文字に対する記号を簡単に作り出すことができた。
【００２９】
即ち、まず″片仮名（カタカナ）″なのか″平仮名（ひらがな）″なのかを選択し、その後に表示したい文字が属する文字列子音記号を入力して、その右側に母音記号を入力すれば、すべての清音文字記号が作られる。
【００３０】
そして必要に応じて濁音記号又は半濁音記号をその右側に入れれば良い。
【００３１】
又、″ん″字の記号は独立して″O″記号を入れる。
【００３２】
図７は、このようにして作った平仮名全体の記号である。
【００３３】
平仮名の″た、ち、つ、て、と″はその列の子音の英字発音が″ta、ti、tu、te、to″となるべきであるが、実際の発音は″ta、chi、tsu、te、to″になっている。
【００３４】
しかし、各列の子音記号はその列の5個文字の代表子音記号であるので同一の記号″∨″を使う。
【００３５】
即ち″∨″に母音記号″＜、｜、＼、／、＞″を付けて″∨＜、∨｜、∨＼、∨／、∨＞″と表示して、″た、ち、つ、て、と″の記号とする。
【００３６】
又、″わ″列の″ゐ、ゑ、を″は″い、え、お″と同じ発音であるが、″わ″列に属するので、″わ″列の記号″∠｜、∠／、∠＞″を使う。
【００３７】
IV。 文字板上の記号配列の例
各文字の記号は子音記号の次に母音記号を入力して、その次に濁音又は半濁音記号を入力するので、その便利さを考慮して配しなければならない。
0005565491.tif 000007
（文字板上の記号配列の例）
【００３８】
V。 数字番号を記号に用いる方法
子音記号の数字番号が
0005565491.tif 000008
であるから、母音記号も″あ、い、う、え、お″を数字番号
0005565491.tif 000009
で表示すれば、清音文字全部を数字番号だけで表示することができる。
【００３９】
例えば
0005565491.tif 000010
で、
【００４０】
半濁音の場合
0005565491.tif 000011
に表示することができる。
【００４１】
この場合の文字板の記号番号の配列は、例１のように１３個を配列する方法があり、
0005565491.tif 000012
（例  １）
【００４２】
又、記号数を最も少くする方法として、例２のように、
0005565491.tif 000013
を除外し
0005565491.tif 000014
の８個だけを用いた文字板を作ることもできる。
0005565491.tif 000015
（例  ２）
【００４３】
この場合には、子音記号は上記の方法で２個ずつの記号番号を結んで９個の子音記号を作り、
0005565491.tif 000016
を母音の″あ、い、う、え、お″の記号番号に使って、子音列記号と母音記号を合せて子音記号を作ることができる。
【００４４】
例１の形式を選ぶか例２の形式を選ぶかは技術的難易性を検討して決めなければならないだろう。
【００４５】
図９は例２の１３個の記号による文字記号を示す。
【００４６】
ここに、″あ、い、う、え、お″は
0005565491.tif 000017
の代りに″◎″を除外して、
0005565491.tif 000018
だけを使う方法も可能である。
【００４７】
最も簡単に、例２の８個の記号を用いて、文字記号を作成するのには、図９において、
0005565491.tif 000019
を全部
0005565491.tif 000020
ですれば良い。
【００４８】
但し、この場合は、子音数字記号と母音数字記号との区別が無いことが欠点である。
【００４９】
VI。 仮名文字と数字記号とを併用する方法
日本人には長い間、仮名文字に慣れているから、記号だけの組み合せで文字に対応させることは抵抗感を持つ恐れが有るので、多少記号数が多くなる欠点は有るが、各文字列の最初文字と５個の数字を併用する方法を使って視覚的效果を高めることができる。
【００５０】
即ち、″あ、い、う、え、お″が母音文字であるが、これを″あ１、あ２、あ３、あ４、あ５″で表示する。
【００５１】
又、濁音と半濁音は前述したように″・、°″を添付する。
【００５２】
この場合、全ての仮名文字を構成すべき記号は図１０の１８個になる。
【００５３】
１．日本語の片仮名と平仮名（以後２つを合せて″仮名″という）の全体１４６個の文字を簡単な少数の記号で表示する方法を説明する。
【００５４】
（１）採用する記号は、図２のような簡単な７個の線分と２個の円と１個の点から成る総数１０個であり、その中から５個を選んで母音記号とし、又、５個を選んで子音記号で作る要素記号とする。
【００５５】
（２）母音記号は″あ、い、う、え、お″の発音記号であり、５個の線分は図１１のようだ。
【００５６】
（３）子音列の記号は″か列、さ列、た列、な列、は列、ま列、や列、ら列、わ列″の９個が必要なので、図４のような５個の直線線分からなる図を採用して左、上、右斜、左斜、下の順に
0005565491.tif 000021
という線分の番号を付けて、隣り合う２個ずつの線分を番号順に結んで９個の子音列記号を作る。
0005565491.tif 000022
【００５７】
即ち、互いに離れているものと重複したものとを除くと、図１２の９個の連結で９個の子音列記号になる。
【００５８】
（４）文字記号の作り方
【００５９】
図１２のように作り上げた子音列記号に母音記号を付ければ全ての清音文字の記号になる。
【００６０】
即ち、まず片仮名なのか平仮名なのかを選択して、文字列記号を入力した後にその右側に母音記号を付ければよい。
【００６１】
そして、″ん″字の記号は独立して″◎″を文字記号とする。
【００６２】
（５）濁音文字記号又は半濁音文字記号は清音文字記号の右側に記号″・″又は″記号″°″を付ける。
【００６３】
２．日本語の仮名文字を数字番号だけで記号化する方法
図１２の連結番号の組み合せがそのまま子音列記号になることができるので、これらと共に、音の記号も模様が異なる数字記号で表示して、数字番号の連結で作られた子音列記号と他の数字番号で表示された母音記号を合せて仮名文字を作成することができる。
【００６４】
この場合には、図９のようにする方法もあって、子音列記号を作るのにあって″あ列″も子音列に含めて１０個を作り″あ、か、さ、た、な、は、ま、や、ら、わ″の１０個の子音文字列記号とすることもできる。
0005565491.tif 000023
【００６５】
これを次のような形式に整理すれば図１３のようになる。
0005565491.tif 000024
【００６６】
濁音と半濁音の記号に対しては前述の方法と同一である。
【００６７】
３．仮名の一部を子音要素記号として用いて、母音記号を記号又は数字番号を用いる方法
使用することが慣れた仮名文字を活用する意味を、″あ、か、さ、た、な、は、ま、や、ら、わ″を各子音列要素記号として用いて、″あ、い、う、え、お″の母音記号には線分記号又は数字番号を用いする方法であり、この場合には記号の数が各々１７個となる。
【００６８】
図１４は子音記号の仮名一部を用いた方法を示した。
【００６９】
４．記号を文字板に配列する方法
文字板の上に選択された記号を配列する方法は文字の使用頻度によって定めるべきであるが、参考上、各々の場合に対する例を図１５、図１６及び図１７に示した。
【００７０】
但し、本発明において、記号の配列方法に対しては制限を置かない。
【００７１】
また、拗音・促音（ぁ、ぃ、ぅ、ぇ、ぉ、っ、ゃ、ゅ、ょ、ゎ、ヵ）については、下記の一覧のように記号と対応付けてもよい。
0005565491.tif 000025
さらに、図１８及び図１９に、仮名文字を入力する練習に用いることができる例題を例示する。図１８及び１９に例示するような練習用例題を用いて仮名文字の入力の練習をすることで、仮名文字の入力に要する時間はさらに速くなることが期待できる。
【００７２】
また、本発明は、
線分を用いて形成された７個の記号を用いて、コンピュータに日本語を入力する方法であって、
前記７個の記号のうち５個の記号のそれぞれは、５種類の母音を表し、
前記７個の記号のうち２個の記号の組み合わせにより、９種類の子音を表し、
前記方法は、
前記７個の記号のうち２個の記号の組み合わせを用いて、入力すべき文字の子音を入力する段階と、
前記子音を入力する段階の後、前記７個の記号のうち５個の記号を用いて、前記入力すべき文字の母音を入力する段階と、
を有する方法であってもよい。
【要約】      （修正有）【課題】日本語仮名を小数の発音文字記号により効率よく入力する。【解決手段】″あ、い、う、え、お″の母音記号を７種類の線分と２種類の円と１種類の点を含む総数１０個の記号のうち５個に割り当てるとともに、″か列、さ列、た列、な列、は列、ま列、や列、ら列、わ列″の子音列の記号を、区の字を形成する５つの線分（左垂直線、上水平線、右斜線、左斜線、下水平線）のうち２つの線分を組み合わせたたものを割り当て、各線分をキーパッド数字が配置された記号（７，９、１，３、）のうち２つを指定して入力する。例えば”か”（左垂直線、上水平線、”＜”）は、”１”、”７”、”９”、”＜”の記号を順次選択することにより入力する。更に、母音記号をキーパッド数字のそれぞれ割り当てるようにすれば（例えば”あ”を”１”）、４つのキーパッド数字を順次指定する（例えば”か”は”１”、”７”、”９”、”１”）ことにより入力できる。【選択図】図７【図１】
0005565491.tif 000030
【図２】
0005565491.tif 000031
【図３】
0005565491.tif 000032
【図４】
0005565491.tif 000033
【図５】
0005565491.tif 000034
【図６】
0005565491.tif 000035
【図７】
0005565491.tif 000036
【図８】
0005565491.tif 000037
【図９】
0005565491.tif 000038
【図１０】
0005565491.tif 000039
【図１１】
0005565491.tif 000040
【図１２】
0005565491.tif 000041
【図１３】
0005565491.tif 000042
【図１４】
0005565491.tif 000043
【図１５】
0005565491.tif 000044
【図１６】
0005565491.tif 000045
【図１７】
0005565491.tif 000046
【図１８】
0005565491.tif 000047
【図１９】
0005565491.tif 000048